【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
監視対象となる施設に設けられ、警備モードとして、前記監視対象の侵入異常を監視しない警備解除モードと、前記監視対象の侵入異常を監視する無人警備モードと、前記監視対象が有人の際に外部から当該監視対象への侵入異常を監視する有人警備モードとを少なくとも有する警備装置であって、
利用者が操作して利用者情報を入力する入力部と、前記入力された利用者情報を記憶する記憶部と、前記記憶された利用者情報を表示する表示部と、を備え、
設定されている警備モードに応じて、前記利用者情報の表示を禁止するか否かを判断することを特徴とした警備装置。
【請求項２】
監視対象となる施設に設けられ、前記監視対象の侵入異常を監視しない警備解除モードと、前記監視対象が有人の際に外部から当該監視対象への侵入異常を監視する有人警備モードとを少なくとも有する警備装置であって、
利用者が操作して利用者情報を入力する入力部と、前記入力された利用者情報を記憶する記憶部と、前記記憶された利用者情報を表示する表示部と、を備え、
前記警備解除モードが設定されているときは、前記利用者情報の表示を禁止することを特徴とした警備装置。
【請求項３】
さらに、前記監視対象の侵入異常を検知しているときは、前記利用者情報の表示を禁止する請求項１または請求項２に記載の警備装置。
【請求項４】
監視対象となる施設に設けられ、警備モードとして、前記監視対象の侵入異常を監視しない警備解除モードと前記監視対象の侵入異常を監視する無人警備モード及び前記監視対象が有人の際に外部から当該監視対象への侵入異常を監視する有人警備モードを少なくとも有する警備装置と、利用者が前記警備装置に入力した利用者情報を記憶する遠隔の情報管理装置と、を備えた利用者情報管理システムであって、
前記警備装置は、
固有の端末識別情報を記憶する記憶部と、
利用者が操作して前記利用者情報を入力する入力部と、
前記入力された利用者情報を前記情報管理装置に送信する情報登録部と、
利用者の操作に基づき前記利用者情報の参照要求信号を送信する参照処理部と、
前記参照要求信号に応じて受信した利用者情報を閲覧可能に表示する表示部とを備え、
前記情報管理装置は、
前記警備装置から受信する利用者情報を当該警備装置の前記端末識別情報と対応させて記憶する利用者情報記憶部と、
前記警備装置から参照要求信号を受信すると当該警備装置の前記端末識別情報に対応する利用者情報を前記警備装置に送信する情報管理部とを備え、
前記警備装置は、設定されている警備モードに応じて、前記入力部による利用者情報の入力及び前記参照処理部による前記参照要求信号の送信を禁止するか否かを判断することを特徴とした利用者情報管理システム。
【請求項５】
監視対象となる施設に設けられ、警備モードとして、前記監視対象の侵入異常を監視しない警備解除モードと前記監視対象の侵入異常を監視する無人警備モード及び前記監視対象が有人の際に外部から当該監視対象への侵入異常を監視する有人警備モードを少なくとも有する警備装置と、利用者が前記警備装置に入力した利用者情報を記憶する遠隔の情報管理装置と、を備えた利用者情報管理システムであって、
前記警備装置は、
固有の端末識別情報を記憶する記憶部と、
利用者が操作して前記利用者情報を入力する入力部と、
前記入力された利用者情報を前記情報管理装置に送信する情報登録部と、
利用者の操作に基づき前記利用者情報の参照要求信号を送信する参照処理部と、
前記参照要求信号に応じて受信した利用者情報を閲覧可能に表示する表示部とを備え、
前記情報管理装置は、
前記警備装置から受信する利用者情報を当該警備装置の前記端末識別情報と対応させて記憶する利用者情報記憶部と、
前記警備装置から参照要求信号を受信すると当該警備装置の前記端末識別情報に対応する利用者情報を前記警備装置に送信する情報管理部と、
前記警備装置に設定されている警備モードを取得する警備装置情報取得部とを備え、
前記情報管理装置は、設定されている警備モードに応じて、前記利用者情報の送信を禁止するか否かを判断することを特徴とした利用者情報管理システム。
【手続補正２】
【補正対象書類名】明細書
【補正対象項目名】０００９
【補正方法】変更
【補正の内容】
【０００９】
上記の目的を達成するために本発明による警備装置は、監視対象となる施設に設けられ、警備モードとして、前記監視対象の侵入異常を監視しない警備解除モードと、前記監視対象の侵入異常を監視する無人警備モードと、前記監視対象が有人の際に外部から当該監視対象への侵入異常を監視する有人警備モードとを少なくとも有する警備装置であって、  利用者が操作して利用者情報を入力する入力部と、前記入力された利用者情報を記憶する記憶部と、前記記憶された利用者情報を表示する表示部と、を備え、設定されている警備モードに応じて、前記利用者情報の表示を禁止するか否かを判断することを特徴としている。またあるいは、監視対象となる施設に設けられ、前記監視対象の侵入異常を監視しない警備解除モードと、前記監視対象が有人の際に外部から当該監視対象への侵入異常を監視する有人警備モードとを少なくとも有する警備装置であって、利用者が操作して利用者情報を入力する入力部と、前記入力された利用者情報を記憶する記憶部と、前記記憶された利用者情報を表示する表示部と、を備え、前記警備解除モードが設定されているときは、前記利用者情報の表示を禁止することを特徴としてもよい。
【手続補正３】
【補正対象書類名】明細書
【補正対象項目名】００１１
【補正方法】変更
【補正の内容】
【００１１】
さらに、本発明による利用者情報管理システムは、監視対象となる施設に設けられ、警備モードとして、前記監視対象の侵入異常を監視しない警備解除モードと前記監視対象の侵入異常を監視する無人警備モード及び前記監視対象が有人の際に外部から当該監視対象への侵入異常を監視する有人警備モードを少なくとも有する警備装置と、利用者が前記警備装置に入力した利用者情報を記憶する遠隔の情報管理装置と、を備えた利用者情報管理システムであって、前記警備装置は、固有の端末識別情報を記憶する記憶部と、利用者が操作して前記利用者情報を入力する入力部と、前記入力された利用者情報を前記情報管理装置に送信する情報登録部と、利用者の操作に基づき前記利用者情報の参照要求信号を送信する参照処理部と、前記参照要求信号に応じて受信した利用者情報を閲覧可能に表示する表示部とを備え、前記情報管理装置は、前記警備装置から受信する利用者情報を当該警備装置の前記端末識別情報と対応させて記憶する利用者情報記憶部と、前記警備装置から参照要求信号を受信すると当該警備装置の前記端末識別情報に対応する利用者情報を前記警備装置に送信する情報管理部とを備え、前記警備装置は、設定されている警備モードに応じて、前記入力部による利用者情報の入力及び前記参照処理部による前記参照要求信号の送信を禁止するか否かを判断することを特徴とした。
【手続補正４】
【補正対象書類名】明細書
【補正対象項目名】００１２
【補正方法】変更
【補正の内容】
【００１２】
また、本発明による利用者情報管理システムは、監視対象となる施設に設けられ、警備モードとして、前記監視対象の侵入異常を監視しない警備解除モードと前記監視対象の侵入異常を監視する無人警備モード及び前記監視対象が有人の際に外部から当該監視対象への侵入異常を監視する有人警備モードを少なくとも有する警備装置と、利用者が前記警備装置に入力した利用者情報を記憶する遠隔の情報管理装置と、を備えた利用者情報管理システムであって、前記警備装置は、固有の端末識別情報を記憶する記憶部と、利用者が操作して前記利用者情報を入力する入力部と、前記入力された利用者情報を前記情報管理装置に送信する情報登録部と、利用者の操作に基づき前記利用者情報の参照要求信号を送信する参照処理部と、前記参照要求信号に応じて受信した利用者情報を閲覧可能に表示する表示部とを備え、前記情報管理装置は、前記警備装置から受信する利用者情報を当該警備装置の前記端末識別情報と対応させて記憶する利用者情報記憶部と、前記警備装置から参照要求信号を受信すると当該警備装置の前記端末識別情報に対応する利用者情報を前記警備装置に送信する情報管理部と、前記警備装置に設定されている警備モードを取得する警備装置情報取得部とを備え、前記情報管理装置は、設定されている警備モードに応じて、前記利用者情報の送信を禁止するか否かを判断することを特徴とした。